【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
集積回路の水晶振動子を作動させる方法であって、
前記水晶振動子に接続されているデジタル自動利得制御（ＡＧＣ）回路により水晶振動子の振動振幅の動作をモニタリングして制御する工程であって、前記デジタルＡＧＣ回路が、振動検出装置を含む第１のループであって、前記振動検出装置は、カウンタを含み、前記カウンタは、前記水晶振動子からクロックシグナルを受信し、出力シグナルを発生させ、好ましくは、所定数のサイクルが検出された後に振動検出ラッチを設定する、第１のループと、前記水晶振動子の入力シグナルを受信する振動振幅検出装置を含む第２のループとを含む、工程と、
前記水晶振動子からの振動が前記第１のループにより検出されるまで、前記水晶振動子の利得を向上させる工程と、
前記第２のループにより高基準値と低基準値との間の振幅で振動を維持する工程と、
を含む、方法。
【請求項２】
独立アップデートクロックパルスを発生する工程と、
前記振動検出ラッチが未だ設定されていない場合、各アップデートクロックパルスにおける前記水晶振動子の相互コンダクタンス増幅器の利得を向上させる工程と、
を更に含む、請求項１に記載の方法。
【請求項３】
前記高基準値と前記低基準値との間の前記振動振幅を維持する前記工程が、
前記振動振幅検出装置からの出力値と、前記高基準値及び前記低基準値とを比較する工程と、
前記振動振幅検出装置からの前記出力値が前記低基準値未満となる場合、各アップデートクロックパルス時の前記相互コンダクタンス増幅器利得を向上させる工程と、
前記振動振幅検出装置からの前記出力値が前記高基準値以上となる場合、各アップデートクロックパルス時の前記相互コンダクタンス増幅器利得を低下させる工程と、
を含む、請求項１に記載の方法。
【請求項４】
前記相互コンダクタンス増幅器利得が、そこへの電流を増加させることにより向上される、請求項１に記載の方法。
【請求項５】
前記振動検出装置がある期間内に前記水晶振動子からの振動を検出しないとき、水晶振動子不良アラームを生成する工程を更に含む、請求項１に記載の方法。
【請求項６】
前記高基準値が、前記水晶振動子のトランジスタのＤＣバイアスポイントより約３００ミリボルト高く、前記低基準値が、前記トランジスタの前記ＤＣバイアスポイントより約１００ミリボルト高い、請求項１に記載の方法。
【請求項７】
レプリカ回路により前記相互コンダクタンス増幅器の電力、電圧及び温度特徴を追跡する、前記高基準値及び前記低基準値をもたらす工程を更に含む、請求項１に記載の方法。
【請求項８】
振動子の不良を検出して、そのアラームを鳴らす工程を更に含む、請求項１に記載の方法。
【請求項９】
集積回路であって、
クロックシグナルを発生させる水晶振動子回路と、
前記水晶振動子回路に接続されているデジタル自動利得制御（ＡＧＣ）回路であって、振動検出装置を含む第１のループであって、前記振動検出装置は、カウンタを含み、前記カウンタは、前記水晶振動子から前記クロックシグナルを受信し、所定数のサイクルが検出された後にオーバーフローシグナルを発生させる、第１のループと、前記水晶振動子の入力シグナルを受信する振動振幅検出装置を含む第２のループとを含む、デジタル自動利得制御（ＡＧＣ）回路と
を備え、
前記第１のループが、前記所定数のサイクルが検出されるまで、前記水晶振動子回路の利得を向上するようになされており、その後に、前記第２のループが高振幅値と低振幅値との間の前記振動振幅を維持するようになされている、
集積回路。
【請求項１０】
前記水晶振動子回路が、
外部水晶に接続するようになされている相互コンダクタンス増幅器と、
前記相互コンダクタンス増幅器の相互コンダクタンス利得に接続されてこれを制御するプログラマブル電流源と、
を含む、請求項９に記載の集積回路。
【請求項１１】
前記第１のループが、前記水晶振動子回路からの振動の検出前のアップデートインターバル時に、前記プログラマブル電流源を制御し、
前記第２のループが、前記水晶振動子回路からの前記振動の検出後のアップデートインターバル時に前記プログラマブル電流源を制御する、
請求項１０に記載の集積回路。
【請求項１２】
前記第１のループが、
前記振動検出装置、
前記振動検出装置に接続されているメモリラッチであって、振動が検出されると、ロジック状態を変更するメモリラッチと、
前記プログラマブル電流源に接続されてこれを制御するアップ／ダウンカウンタと、
を含み、
前記第２のループが、
前記相互コンダクタンス増幅器の入力に接続されている入力、及び前記振動振幅を表す出力を有する前記振動振幅検出装置と、
前記アップ／ダウンカウンタと、
前記振動振幅検出装置と前記アップ／ダウンカウンタとの間に接続されている振動振幅制御装置と、
を含み、
前記振動振幅が前記低振幅値未満の場合に、前記アップ／ダウンカウンタが、前記アップデートインターバル時にその中のカウント値を向上させるように構成され、
前記振動振幅が前記高振幅値以上の場合に、前記アップ／ダウンカウンタが、前記アップデートインターバル時にその中の前記カウント値を低下させるように構成されている、
請求項９に記載の集積回路。
【請求項１３】
前記高振幅値が、前記相互コンダクタンス増幅器のＤＣバイアスポイントより約３００ミリボルト高く、前記低振幅値が、前記相互コンダクタンス増幅器の前記ＤＣバイアスポイントより約１００ミリボルト高い、請求項９に記載の集積回路。
【請求項１４】
前記相互コンダクタンス増幅器の電力、電圧及び温度特徴を追跡する、前記高振幅値及び前記低振幅値をもたらすようになされているレプリカ回路を更に含む、請求項９に記載の集積回路。
【請求項１５】
前記アップ／ダウンカウンタ及び／又は前記振動検出回路の前記カウント値がプログラマブルである、請求項９に記載の集積回路。
【請求項１６】
前記アップ／ダウンカウンタが、前記集積回路においてパワーオンリセット時にリセットされるようになされている、請求項９に記載の集積回路。
【請求項１７】
前記タイマー、振動検出回路、ラッチ及び／又はアップ／ダウンカウンタが、前記集積回路における条件のリセット時に再設定可能な、請求項９に記載の集積回路。
【請求項１８】
振動子不良アラーム回路を更に備える、請求項９に記載の集積回路。
【請求項１９】
前記集積回路がマイクロ制御装置である、請求項９〜１８のいずれかに記載の集積回路。
【手続補正２】
【補正対象書類名】明細書
【補正対象項目名】００１３
【補正方法】変更
【補正の内容】
【００１３】
更なる実施形態によれば、高振幅値は、相互コンダクタンス増幅器のＤＣバイアスポイントより約３００ミリボルト高くなり得、低振幅値は、相互コンダクタンス増幅器のＤＣバイアスポイントより約１００ミリボルト高くなり得る。更なる実施形態によれば、レプリカ回路は、相互コンダクタンス増幅器の電力、電圧及び温度特徴を追跡する高振幅値及び低振幅値をもたらすようになされ得る。更なる実施形態によれば、アップ／ダウンカウンタ及び／又は振動検出回路のカウント値は、プログラマブルとすることができる。更なる実施形態によれば、アップ／ダウンカウンタは、集積回路において、パワーオンリセットすると、リセットされるようになされ得る。更なる実施形態によれば、タイマー、振動検出回路、ラッチ及び／又はアップ／ダウンカウンタは、集積回路におけるリセット条件時に再リセット可能となり得る。更なる実施形態によれば、振動子不良アラーム回路が設けられ得る。更なる実施形態によれば、集積回路は、マイクロ制御装置とすることができる。
本発明は、例えば、以下を提供する。
（項目１）
集積回路の水晶振動子を作動させる方法であって、
前記水晶振動子に接続されているデジタル自動利得制御（ＡＧＣ）回路により水晶振動子の振動振幅の動作をモニタリングして制御する工程であって、前記デジタルＡＧＣ回路が、振動検出装置を含む第１のループ、及び振動振幅検出装置を含む第２のループを含む、工程と、
前記水晶振動子からの振動が前記第１のループにより検出されるまで、前記水晶振動子の利得を向上させる工程と、
前記第２のループにより高基準値と低基準値との間の振幅で振動を維持する工程と、
を含む、方法。
（項目２）
前記水晶振動子の振動を検出する前記工程が、前記水晶振動子からのいくつかの周波数サイクルをカウントする前記工程、及び周波数サイクル数が、あるカウントに到達すると、振動検出ラッチを設定する工程を含む、項目１、又は５〜９のいずれかに記載の方法。
（項目３）
独立アップデートクロックパルスを発生する工程と、
前記振動検出ラッチが未だ設定されていない場合、各アップデートクロックパルスにおける前記水晶振動子の相互コンダクタンス増幅器の利得を向上させる工程と、
を更に含む、項目２又は４のいずれかに記載の方法。
（項目４）
前記高基準値と前記低基準値との間の前記振動振幅を維持する前記工程が、
前記振動振幅検出装置からの出力値と、前記高基準値及び前記低基準値とを比較する工程と、
前記振動振幅検出装置からの前記出力値が前記低基準値未満となる場合、各アップデートクロックパルス時の前記相互コンダクタンス増幅器利得を向上させる工程と、
前記振動振幅検出装置からの前記出力値が前記高基準値以上となる場合、各アップデートクロックパルス時の前記相互コンダクタンス増幅器利得を低下させる工程と、
を含む、項目２又は３のいずれかに記載の方法。
（項目５）
前記相互コンダクタンス増幅器利得が、そこへの電流を増加させることにより向上される、項目２、又は６〜９のいずれかに記載の方法。
（項目６）
前記振動検出装置がある期間内に前記水晶振動子からの振動を検出しないとき、水晶振動子不良アラームを生成する工程を更に含む、項目２、５又は７〜９のいずれかに記載の方法。
（項目７）
前記高基準値が、前記水晶振動子のトランジスタのＤＣバイアスポイントより約３００ミリボルト高く、前記低基準値が、前記トランジスタの前記ＤＣバイアスポイントより約１００ミリボルト高い、項目２、５〜６又は８〜９のいずれかに記載の方法。
（項目８）
レプリカ回路により前記相互コンダクタンス増幅器の電力、電圧及び温度特徴を追跡する、前記高基準値及び前記低基準値をもたらす工程を更に含む、項目２、５〜７、又は９のいずれかに記載の方法。
（項目９）
振動子の不良を検出して、そのアラームを鳴らす工程を更に含む、項目２又は５〜８のいずれかに記載の方法。
（項目１０）
集積回路であって、
水晶振動子回路と、
前記水晶振動子回路に接続されているデジタル自動利得制御（ＡＧＣ）回路であって、振動検出装置を含む第１のループ及び振動振幅検出装置を含む第２のループを含む、デジタル自動利得制御（ＡＧＣ）回路と
を備え、
前記第１のループが、そこからの振動振幅が検出されるまで、前記水晶振動子回路の利得を向上するようになされており、その後に、前記第２のループが高振幅値と低振幅値との間の前記振動振幅を維持するようになされている、
集積回路。
（項目１１）
前記水晶振動子回路が、
前記外部水晶に接続するようになされている相互コンダクタンス増幅器と、
前記相互コンダクタンス増幅器の相互コンダクタンス利得に接続されてこれを制御するプログラマブル電流源と、
を含む、項目１０、又は１３〜２０のいずれかに記載の集積回路。
（項目１２）
前記第１のループが、前記水晶振動子回路からの振動の検出前のアップデートインターバル時に、前記プログラマブル電流源を制御し、
前記第２のループが、前記水晶振動子回路からの前記振動の検出後の前記アップデートインターバル時に前記プログラマブル電流源を制御する、
項目１１に記載の集積回路。
（項目１３）
前記第１のループが、
振動検出装置、
前記振動検出装置に接続されているメモリラッチであって、振動が検出されると、ロジック状態を変更するメモリラッチと、
前記プログラマブル電流源に接続されてこれを制御するアップ／ダウンカウンタと、
を含み、
前記第２のループが、
前記相互コンダクタンス増幅器に接続されている入力、及び前記振動振幅を表す出力を有する振動振幅検出装置と、
前記アップ／ダウンカウンタと、
前記振動振幅検出装置と前記アップ／ダウンカウンタとの間に接続されている振動振幅制御装置と、
を含み、
前記振動振幅が前記低振幅値未満の場合に、前記アップ／ダウンカウンタが、前記アップデートインターバル時にその中のカウント値を向上させ、
前記振動振幅が前記高振幅値以上の場合に、前記アップ／ダウンカウンタが、前記アップデートインターバル時にその中の前記カウント値を低下させる、
項目１０〜１２又は１４〜２０のいずれかに記載の集積回路。
（項目１４）
前記高振幅値が、前記相互コンダクタンス増幅器のＤＣバイアスポイントより約３００ミリボルト高く、前記低振幅値が、前記相互コンダクタンス増幅器の前記ＤＣバイアスポイントより約１００ミリボルト高い、項目１０〜１３又は１５〜２０のいずれかに記載の集積回路。
（項目１５）
前記相互コンダクタンス増幅器の電力、電圧及び温度特徴を追跡する、前記高振幅値及び前記低振幅値をもたらすようになされているレプリカ回路を更に含む、項目１０〜１４又は１６〜２０のいずれかに記載の集積回路。
（項目１６）
前記アップ／ダウンカウンタ及び／又は前記振動検出回路の前記カウントバルブがプログラマブルである、項目１０〜１５又は１７〜２０のいずれかに記載の集積回路。
（項目１７）
前記アップ／ダウンカウンタが、前記集積回路においてパワーオンリセット時にリセットされるようになされている、項目１０〜１６又は１８〜２０のいずれかに記載の集積回路。
（項目１８）
前記タイマー、振動検出回路、ラッチ及び／又はアップ／ダウンカウンタが、前記集積回路における条件のリセット時に再設定可能な、項目１０〜１７又は１９〜２０のいずれかに記載の集積回路。
（項目１９）
振動子不良アラーム回路を更に備える、項目１０〜１９又は２０のいずれかに記載の集積回路。
（項目２０）
前記集積回路がマイクロ制御装置である、項目１０〜１９のいずれかに記載の集積回路。